(57)【要約】    【課題】      イベント等のパンフレットや案内に代わる情報取得手段であって、携行するにも不便でなく、かつイベント等において簡単にかつ瞬時に所望の情報を得ることのできる技術を提供する。    【解決手段】  所定の情報が提供されるサーバのアドレス情報と、そのアドレス先のサーバにアクセスし、そのサーバが提供する情報を取得させる指示情報とが含まれ、それら情報が所定の携帯型情報端末で読み取りかつ認識できる情報可読認識体21〜27が付された折り畳み式シート体である。概括情報が表示される表記部1〜7の近傍または表記部1〜7が指し示す箇所に、その概括情報に関する詳細情報が提供されるサーバから、その詳細情報が前記携帯型情報端末において取得されうる前記情報可読認識体21〜27を、前記表記部1〜7と一対となるように付すとともに、その一対の表記部1〜7と情報可読認識体21〜27を、折り畳み状態によって形成される任意の表示面に散在させた。【選択図】        図１
2005241961.tif 000002
【特許請求の範囲】
【請求項１】
所定の情報が提供されるサーバのアドレス情報と、そのアドレス先のサーバにアクセスし、そのサーバが提供する情報を取得させる指示情報とが含まれ、それら情報が所定の携帯型情報端末で読み取りかつ認識できる情報可読認識体が付された折り畳み式シート体であって、
概括情報が表示される表記部の近傍または表記部が指し示す箇所に、
その概括情報に関する詳細情報が提供されるサーバから、その詳細情報が前記携帯型情報端末において取得されうる前記情報可読認識体を、
前記表記部と一対となるように付すとともに、
その一対の表記部と情報可読認識体を、
折り畳み状態によって形成される任意の表示面に散在させたことことを特徴とする情報可読認識体が付された折り畳み式シート体。
【発明の詳細な説明】
【技術分野】
【０００１】
この発明は、携帯型情報端末で読みとることができ、かつ読みとった情報に基づき指定されたアドレス先のサーバ内の情報をその携帯型情報端末に表示させる指示情報が含まれる情報可読認識体が付された情報取得技術に関する。
【背景技術】
【０００２】
一般に、イベントや映画鑑賞、スポーツ観戦、旅行等（以下イベント等という）に行く場合、イベント等の現地で関連情報を知りたい場合があり、その際は、主催者等が準備したガイドブックや案内等を有償または無償で入手したり、あるいは予め自分で入手したものを持っていったりする。
【０００３】
しかし、これらのガイドブックや案内等は、発行者の意図によって作成されるので、イベント等に出向いた見学者等の欲する情報が必ずしも得られるものとなっていないのが実情である。また、掲載する情報が多量になりがちで、そうすると情報量の多さから、得たい情報の項目に至るまでに時間がかかることになり、瞬時に所望の情報を得るのは困難となってしまう。さらに、どんなに多量の情報を掲載しても、活字ゆえにリアルタイムでの情報提供が不可能なことから、イベント等の見学者がその時に知りたいと思う情報（例えばプロ野球観戦に球場に行ったときに、その日に売られている弁当の種類が何で、どこで売られているか等）が必ずしも得られるものではない。
【０００４】
また、情報の量に関係なく、イベント等の場所ではガイドブックや案内等は冊子形式であり、かさばりがちになるので、結局カバン等にしまい込み、その場で見ないことになって、実はその場で得たい情報が掲載されていても、その情報が活用されないことも多い。
【０００５】
ところで、近時の携帯型情報端末の技術の進歩及び利用の拡大により、携帯型情報端末（多くは携帯電話）から通信回線網（多くはインターネット回線網）を通じてあらゆる情報を得ることができるので、イベント等の際も、携帯型情報端末を携行すれば、前記ガイドブックや案内等を用いることなく、所望の情報を得ることができることになる。
【０００６】
【特許文献１】特開２００２−２９７６４４号（４頁０００９段、図１１）
【特許文献２】特開２００３−１７８２７６号（３頁００１１段〜００１８段、図１）
【発明の開示】
【発明が解決しようとする課題】
【０００７】
しかし、携帯型情報端末で情報を得る場合、接続するプロバイダ（多くは電話会社のプロバイダ）が提供するトップページ上から必要なアイテム（例えばグルメ、旅行、スポーツ等）を選んで情報を得るか、一般のインターネット上のサイトにアクセスして得るかのいずれかになるが、前者の方法の場合、そのプロバイダが提供する情報は限られている場合があり、必ずしも必要な情報が得られない。一方後者の方法では、自身で検索タームを選んだうえ、検索サイト等で検索していく動作を繰り返す必要があり、手間がかかるうえ、場合によっては思った以上に長い時間がかかってしまい、ランニングコストもかかる。
【０００８】
したがって、イベント等において、携帯型情報端末をガイドブック等に代えて利用するのは操作に手慣れた、ごく限られた者だけに過ぎず、このため、多くの見学者等は、上記のような問題があるガイドブックや案内等を依然として利用せざるを得ないというのが実情である。
【０００９】
この発明は、以上説明した、携帯型情報端末及びガイドブックや案内等を利用する際の両方の問題に鑑み創案されたもので、携行するにも不便でなく、かつイベント等において簡単にかつ瞬時に所望の情報を得ることのできる技術を提供しようとするものである。
【課題を解決するための手段】
【００１０】
本発明者らは、上記問題を解決するための方策を種々検討した結果、近時、２次元バーコードのリーダ機能を備えさせた携帯型情報端末が出現し、２次元バーコードに、任意の情報が提供されるサーバのアドレス情報と、そのアドレスのサーバにアクセスして任意の情報を取得させる指示情報とを含ませ、そのような２次元バーコードを携帯型情報端末で読み取らせて、自動的に任意の情報を携帯型情報端末でリアルタイムに取得する利用方法が可能となった点に着目した。
【００１１】
この技術を利用する例として、例えば任意の新聞記事の近傍に２次元バーコードを付し、それを携帯型情報端末のリーダで読みとることで、その記事情報を所定のサーバからダウンロードして保存編集する技術（特開２００２−２９７６４４号、上記特許文献１）や、クレジット利用明細書に２次元バーコードを付し、それを音声機能のある携帯型情報端末（一般には携帯電話）のリーダで読みとることで、そこに記載される明細情報を所定のサーバから音声情報で取得し、音声で明細情報を知ることができる技術（特開２００３−１７８２７６号、上記特許文献２）等が開示されている。
【００１２】
これらの技術を展開できる携帯型情報端末の上記利用技術は、見方を変えれば、紙情報とインターネットを利用した電子情報とを融合させた技術であるということができる。本発明者らは、特にこのような紙情報と通信回線網利用の電子情報との融合技術という点に着目したものである。そして、本発明者らは、両情報の融合であれば、利用の仕方によっては、両者の短所を相互に補完することができ、本願の上記課題を一気に解決できるはずという発想に至った。そこで、そのような発想を前提に、上記課題を解決しうる利用技術を鋭意検討した結果、後述するように、紙情報と通信回線網利用の電子情報の両者の短所を相互に補完できる形態であって、イベント等のガイドブックや案内等に適用できる最適な本発明を見出したものである。
【００１３】
この発明は、以上のような経緯によって創案されたもので、
所定の情報が提供されるサーバのアドレス情報と、そのアドレス先のサーバにアクセスし、そのサーバが提供する情報を取得させる指示情報とが含まれ、それら情報が所定の携帯型情報端末で読み取りかつ認識できる情報可読認識体が付された折り畳み式シート体であって、
概括情報が表示される表記部の近傍または表記部が指し示す箇所に、
その概括情報に関する詳細情報が提供されるサーバから、その詳細情報が前記携帯型情報端末において取得されうる前記情報可読認識体を、
前記表記部と一対となるように付すとともに、
その一対の表記部と情報可読認識体を、
折り畳み状態によって形成される任意の表示面に散在させたことを特徴とする。
【００１４】
本願において、前記所定の携帯型情報端末とは、情報可読認識体に含まれる情報を読みとりかつ認識することのできる読取手段（例えば、２次元バーコードに対するコードリーダ）を備えた携帯型情報端末をいう。したがって、情報可読認識体の種類によって読取り手段の機構・構造は異なるものとなり、換言すれば、情報可読情報認識体によってどのような読取り手段を備えるべきかが特定される。また携帯型情報端末は、携帯電話のほか、通信機能を備えたＰＤＡやパーソナルコンピュータ等を想定しているが、要は、所定の回線網（多くはインターネット回線網であるが、他の回線網でも良い）に接続でき、かつ接続した回線網を介してアドレス先のサーバにアクセスでき、かつアドレス先のサーバが提供する情報を取得でき、さらに取得した情報を表示させる機能及び手段を備える携帯型電子機器であれば、その名称にはとらわれない。また、前記所定の携帯型情報端末は、取得した情報を表示することができる表示手段を備えていることを前提とする。
【００１５】
本願において、前記情報可読認識体は、そこに含まれる情報が前記携帯型情報端末の読取り手段に正確に認識されて読み取られることのできる形態であれば、現在汎用されている１次元バーコード、さらには２次元バーコードやＩＣチップ、さらには他の形態でも良い。コストの点からは、表記部の表記と一体的に印刷すれば足りることから、バーコード形態の方が有利であり、バーコード形態の中でも、情報量の多さから２次元バーコードが最適といえるが、もちろん他の形態でも、２次元バーコードより何らかの有意性があればそれを用いても良い。前記情報可読認識体に含まれる指示情報は、携帯型情報端末の読取り手段がその情報可読認識体を読み取った際、その携帯型情報端末に対し、自動的に所定の回線網に接続させ、読み取ったアドレス情報のアドレス先のサーバにアクセスさせ、そのサーバが提供する情報を取得させる指示の情報である。サーバが提供する情報は、本発明の利用者が選択的または段階的に取得できるように、例えばトップページにメニュー画面を表示させた後、必要な情報のみを任意に取得できるような形態やより詳細な情報が提供されるサーバのサイトのリンクのみ多数表示させるような形態であっても良い。
【００１６】
また本願において、前記概括情報が表示される表記部とは、文字、記号、図形、絵等を用いて、その印刷物（あるいはその頁）に必要となる情報を簡単に表したシンボリックな表示（例えば、項目、要約、簡易地図、記号と文字の組み合わせ）部分をいい、印刷可能な表示部分をいう。この表記部のみでは簡易的な情報（場合によっては項目程度）しか得られないが、その表記部の近傍またはその表記部が指し示す箇所には、対となる情報可読認識体があり、後述するように、その情報可読認識体を読み取ることによって得られる情報が、その表記部に関する詳細情報なので、本発明の利用者は表記部を辿れば詳細情報が得られることになる。
【００１７】
また本願において、折り畳み状態によって形成される表示面とは、折り畳み線に沿って折り込んだ際の任意の見開き面をいう。本発明に係る折り畳み式シート体は、１枚のシート体よりなるので、冊子形態の印刷物等と比較すると、格段に軽量で製造コストも低廉となる。また、折り畳むことでシート体全体の大きさに関わらずコンパクトにすることも自在であり、イベント等で携行する形態としては最適となる。その一方、コンパクトに何重にも折り畳み過ぎると、折り畳み面の一面だけでは、散在させるべき表記部及び情報可読認識体の数が限定されてしまう。しかし、折り畳み式の長所は、任意の折り畳み方（開き方）によって見開き面を大きくも小さくもできる点にあり、そこで、対の表記部と情報可読認識体の数が多ければ、より大きな見開き面を表示面として、そこに一覧的に表記部を表示すればよい。換言すれば、本発明は、対の表記部と情報可読認識体を、散在させる数や見やすさに応じて、表示面を任意に大きくさせたり、逆に小さくさせたりして、一覧に最適な表示面を自在に形成させることができる。なお、本願にいう散在とは、一対の表記部と情報可読認識体を表示面の任意の位置に配置させるという意味で用いている。
【００１８】
また、本発明の折り畳み式シート体の素材は、通常は紙が考えられるが、それに限定されるものでなく、折り畳み自在な形態でかつ表記部と情報可読認識体とが散在できる素材であれば、例えば樹脂繊維シート等他の素材でも良い。上述のように、折り畳み式シート体は、折り込むことでコンパクトになるから、折り込んだ最小のサイズがポケットに入るサイズであれば、きわめて携行性に富んだ形態となるし、例えば文庫本に挟むことのできるサイズ（文庫本用折り畳みチラシのサイズ）であれば、携行性に加えて栞としても使用でき、きわめて有用である。
【００１９】
次に本発明の使用方法について説明する。例えば、利用者が本発明に係る折り畳み式シート体を折り畳んでポケットに携帯していたとする。利用者は、ポケットから本発明に係るシート体を取り出し、任意の折り畳み状態の表示面を見開く。その表示面には、概括情報が表示される表記部が複数表示されており、利用者は、まず表示面を見て所望の情報に関連する表記部を探す。このとき、利用者は、表記部の表示が概括情報であり、一見して全体に何が記載されているかを把握することができるとともに、所望の情報に関連する表記部を容易に見つけることができる。利用者が得ようとする情報の表記部を見つけたら、その近傍またはそれから指し示される対の情報可読認識体を、所定の携帯型情報端末の読取り手段で読み取る。情報可読認識体に含まれる指示情報により、前記携帯型情報端末が、自動的に所定の回線網に接続し、読み取ったアドレス情報のアドレス先のサーバにアクセスし、サーバが提供する情報を取得して表示手段に表示させる。このサーバが提供し、表示手段に表示される情報は、読み取った情報可読認識体の近傍またはそれから指し示された対の表記部の概括情報に関連する詳細情報であり、このため、利用者が得ようとした詳細な情報は、すぐに携帯型情報端末の表示手段から見ることができる。
【００２０】
このように、本発明に係る折り畳み式シート体は、簡単かつ容易に所望の情報が得られる情報源となるばかりでなく、そのコンパクトさから、どのような場所においても携行でき、あらゆる場所で利用できる顕著な情報取得体になるものである。
【発明の効果】
【００２１】
以上説明したように、この発明に係る折り畳み式シート体によれば、利用者が探すべき情報は、表記部の概括情報だけであり、しかもその表記部は一覧に適した表示面に記載されているので、一見してすぐに探し出せる。それが見つかれば、その近傍またはそれが指し示す対の情報可読認識体を所定の携帯型情報端末で読み取れば良く、必要とする詳細情報が自動的に携帯型情報端末に表示される。
【００２２】
したがって、本発明をイベント等のガイドブックや案内等に用いれば、誰でも簡単な操作で、得たい情報が直ちに入手でき、また得ることのできる情報はアドレス先のサーバに保存される電子情報であるので、表記部の情報量が少ないにも関わらず、多量の情報が入手でき、しかもリアルタイムに更新された情報が入手できることになる。そして、折り畳み式シート体自体がコンパクトかつ軽量であり、携行性に富んだ形態であって、持ち運びが自在である。すなわち、この発明によれば、上述した従来の携帯型情報端末またはガイドブックや案内等をそれぞれ単体で利用する際のそれぞれの個別の問題点を一気に解決できることになる。
【００２３】
しかも、本発明はイベント等のガイドブックや案内等だけでなく、ありとあらゆる折り畳み式シート体に適用可能であり、例えば、広告宣伝用のチラシやパンフレットなどに用いれば、わずかな表示面で、多量の情報を提供できる媒体となる。すなわち、本発明を利用することで、出版業、印刷業、広告宣伝業における新たな商品をを創出させる効果が認められる。
【発明を実施するための最良の形態】
【００２４】
本発明に係る具体的な実施形態例を図面を用いて説明する。本形態例は、野球場において主催者が配布する観戦用案内チラシに利用される例である。また、携帯電話を利用することを前提とし、その携帯電話は、インターネット回線網に接続できる通信機能と、２次元バーコードのリーダと、取得した情報を表示できるディスプレイとを備えているものとする。なお、本発明が以下に説明する形態に何ら限定されるものでないことは当然である。
【００２５】
本形態例のチラシは、紙製シート体であり、すべての表示（後述する２次元バーコードも含む）が印刷によってプリントアウトされて作られる。全体がほぼＢ４版を縦に二分割したサイズであり、図１は展開した全体の表面、図２は展開した全体の裏面である。図示のように、チラシは４分割できるように折り畳み線Ｘ，Ｙ，Ｚが３箇所設定されており、折り畳み線に沿って２回畳むとほぼＢ７版のサイズとなって、ポケットに入るサイズとなる。また、図３(a)及び(b)に示すように、中央の折り畳み線Ｙから表面が表となるように折り畳んだ際に形成される見開き面Ａ（ａ面とｂ面によって形成）と同見開き面Ｂ（ｃ面とｄ面によって形成）、図４に示すように、見開き面Ｂから折り畳み線Ｚを折り畳んで形成される見開き面Ｃ（ｅ面とｆ面によって形成）を、それぞれ本形態例のチラシにおいては、表示面に設定している。
【００２６】
図３(a)に示す見開き面Ａは、球場から２時間でウォーキングできる範囲の名所旧跡とその案内が示され、地図中の名所旧跡のうち、伝通院と後楽園の箇所1,2からそれぞれ引き出し線が延び、その線が示す箇所に、それぞれの箇所と対になって２次元バーコード21,22が散在されている。また、タイトル書きの下には、待ち受け画面プレゼントの簡単な案内書き3が表示され、その案内書き3の脇にそれと対になって２次元バーコード23が散在されている。
【００２７】
図３(b)に示す見開き面Ｂは、球場近辺エリアの施設等の地図が示され、各施設に関する項目であって、観戦者の興味をそそるような情報の項目4〜7（レストラン情報4、グッズ売上ランキング5、おすすめスポット6、おみやげ売上ランキング7）が表示され、その上部に各項目と一対となって２次元バーコード24〜27が散在されている。
【００２８】
図４に示す見開き面Ｃは、球団に関する情報の項目8〜11、球場売店の弁当情報に関する項目12が表示され、その上部に各項目と一対となって２次元バーコード28〜32が散在されている。
【００２９】
前記２次元バーコード21〜32には、所定の情報が提供されるサーバ（図示なし）のアドレス情報と、携帯電話に対して、それが当該２次元バーコードを読み込んだ際、インターネット回線網に接続させ、そのアドレス先のサーバにアクセスさせ、そのサーバが提供する情報を取得させる指示情報とが含まれている。各サーバが提供する情報は、それぞれの２次元バーコード21〜32と対となっている各項目等1〜12に関する詳細情報が設定されている。詳細情報には、項目に記載されるどおりの内容の情報（例えば、弁当売上ランキングの項目に対しては、そのランキング情報）の他、当該情報を提供するサーバのサイト運営者の意向により、派生情報や付随情報等（例えば、前記売上ランキングの弁当の現時点の残存状況や弁当店の宣伝情報等）を含めることができる。もちろん、各サーバのサイト運営者は提供する情報を逐次更新しても良いし、広告宣伝用サイト等の他のサイトのリンクを張る等、通常のサイトと同じ体裁にしても良い。
【００３０】
このような本形態例のチラシは、例えば野球観戦に来た観戦者に入口（あるいはチケット販売窓口でも良い）で配布する。チラシの表示は簡単な表記（絵、項目、地図の位置ポイント等）と２次元バーコードであり、受け取った観戦者は、チラシの裏表を一覧するだけで、おおざっぱに内容が把握できる。観戦者が（例えば試合観戦に夢中になって）その時チラシが不要と思えば、折り畳んで衣服やカバン等のポケットに入れておけば良い。一方、例えば試合中、バッターボックスに立った選手や好プレイをした選手の情報を知りたいと思ったとき、チラシを取り出し、見開き面Ｃを開いて、選手名鑑の項目8と対の２次元バーコード28を携帯電話のリーダで読み込ませれば、そのアドレス情報に基づいて接続されたサーバから選手名鑑情報が提供され、携帯電話のディスプレイに所望の情報が表示される（ただし、一般には該当選手を選択するための選択的操作を介することになる）。また、試合の途中で弁当を食べたくなった場合、見開き面Ｃを開いて、弁当売上ランキングの項目12と対の２次元バーコード32を携帯電話のリーダで読み込ませれば、上記と同様の手順で、接続されたサーバから提供される弁当の売上ランキング情報と、それに付随する売店の場所情報及び残存状況等が、携帯電話のディスプレイに表示されるので、その情報に基づき買うかどうかを決めることができる。また試合が終了して、近くのレストランで食事をしたい場合は、見開き面Ｂを開いて、レストラン情報の項目4と対になっている２次元バーコード24を、あるいは、売店で何かおみやげを買おうと思ったら、同見開き面Ｂのおみやげ売上ランキングの項目7と対になっている２次元バーコード27を、さらに、近場の名所である後楽園に寄ろうとしてその情報を得ようとすれば、見開き面Ａを開いて、後楽園の箇所2と対になっている２次元バーコード22を、それぞれ携帯電話のリーダで読み取れば、それぞれ指定されたサーバから所望の情報が携帯電話のディスプレイに表示されるので、それら情報を直ちに利用することができる。
【００３１】
以上のような本形態例のチラシは、１枚のシート紙を両面印刷しただけのものであり、製造コストも非常に低廉であるが、上記説明したようにそこからあらゆる情報を得られることでき、しかも折り畳んで状態がコンパクトなので、主催者側は配布しやすく、一方観戦者側は不要なときはポケットに入れておけばよいので、何らかさばることもなく、いずれ側にとっても、非常に便利なものとなっている。このようなチラシは、携行性がきわめて良好であるから、観覧者が移動するようなイベント、例えば博覧会や展示会、駅伝やマラソン観戦の際の案内用チラシに最適といえる。なお、このようなチラシに広告宣伝スポンサーをつけ、そのスポンサーの広告宣伝情報が得られる２次元バーコードを散在させておけば、主催者側のチラシ制作費を低減させることも可能となる。
【産業上の利用可能性】
【００３２】
この発明は、イベント等の案内、パンフレット、チラシ等を利用する主催者、それら印刷物を作成する印刷業者や出版業者、それら印刷物を利用して情報を得る際に利用される通信業者、それら印刷物を利用して広告宣伝を介在させる広告宣伝業者らがそれぞれ利用できる技術である。
【図面の簡単な説明】
【００３３】
【図１】本発明に係る一形態例を示し、チラシを展開した全体の表面である。
【図２】図１のチラシを展開した全体の裏面である。
【図３】表面の見開き状態を示した説明図であり、(a)は一の見開き面、(b)は他の見開き面を各示す。
【図４】裏面の見開き面を示した状態図である。
【符号の説明】
【００３４】
1〜12            項目等の概括情報（表記部）
21〜32          ２次元バーコード
a〜f             表示面を形成する最小単位面
x〜z             折り畳み線
【図１】
2005241961.tif 000003
【図２】
2005241961.tif 000004
【図３】
2005241961.tif 000005
【図４】
2005241961.tif 000006